(57)【要約】      （修正有）【課題】コアネットワークから無線基地局が受信するマルチキャストデータをＭＢＭＳに未対応の移動端末に配信する。【解決手段】コアネットワークノード装置３に、移動端末５からのマルチキャストグループ参加要求を受け付けて登録するマルチキャスト参加リスト登録部および無線基地局に対してマルチキャストグループ参加要求のあった移動端末との間にユニキャストベアラを個別に構築する指示を行ない、上位ネットワークから受信するマルチキャストデータを無線基地局に転送するマルチキャストプロキシ部３ｃが設けられる。マルチキャストデータは、コアネットワークノード装置３から無線基地局４を経由してマルチキャスト参加リストに登録された移動端末５に対し、個別のユニキャストベアラ１２を介して分配送信される。【選択図】図１
2020123943.tif 000002
【特許請求の範囲】
【請求項１】
コアネットワークノード装置と、前記コアネットワークノード装置と物理回線により接続される無線基地局と、該無線基地局と無線接続される移動端末とを有し、前記コアネットワークノード装置から前記移動端末にＭＢＭＳ（Multimedia Broadcast Multicast Service）に準拠したマルチキャストデータを配信可能に構成され、
前記コアネットワークノード装置には、
前記無線基地局を経由した前記移動端末からのマルチキャストグループ参加要求を受け付けるマルチキャスト参加受付部と、
前記マルチキャストグループ参加要求をマルチキャスト参加リストに登録するマルチキャスト参加リスト登録部と、
上位ネットワークから配信されるマルチキャストデータを受信するマルチキャストデータ受信部、前記マルチキャスト参加リストに登録されている前記移動端末との間に個別のユニキャストベアラを構築するためのユニキャストベアラ構築指示を前記無線基地局に向けて送信するユニキャストベアラ構築指示送信部、及び前記無線基地局に前記マルチキャストデータを転送するマルチキャストデータ転送部を有するマルチキャストプロキシ部とが設けられ、
前記無線基地局には、
前記ユニキャストベアラ構築指示を受信するユニキャストベアラ構築指示受信部と、該ユニキャストベアラ構築指示を受けて前記マルチキャスト参加リストに登録されている前記移動端末との間に個別のユニキャストベアラを構築するユニキャストベアラ構築部と、該ユニキャストベアラを介して前記移動端末に前記マルチキャストデータを送信するマルチキャストデータ送信部が設けられ、
前記マルチキャストデータが、前記コアネットワークノード装置から前記無線基地局を経由して前記マルチキャスト参加リストに登録された前記移動端末に対し、個別の前記ユニキャストベアラを介して分配送信されることを特徴とするマルチキャスト配信システム。
【請求項２】
前記コアネットワークノード装置において、
前記マルチキャスト参加受付部は前記移動端末からのマルチキャストグループ参加要求を当該移動端末の端末アドレスとともに受け付けるものであり、
前記マルチキャスト参加リスト登録部は前記移動端末からの前記マルチキャストグループ参加要求を前記端末アドレスと対応付けて前記マルチキャスト参加リストに登録するものであり、
前記マルチキャストプロキシ部の前記ユニキャストベアラ構築指示送信部は、前記マルチキャスト参加リストにて前記端末アドレスに基づき前記ユニキャストベアラの構築先となる前記移動端末を特定し、当該移動端末に対する前記ユニキャストベアラの構築指示を前記無線基地局に対して送信するものである請求項１又は請求項２に記載のマルチキャスト配信システム。
【請求項３】
前記マルチキャストプロキシ部は、パケットのヘッダ部に送信先アドレスとしてマルチキャストアドレスが格納された状態の前記マルチキャストデータを、前記送信先アドレスを変更することなく前記無線基地局に転送するものであり、
前記無線基地局の前記マルチキャストデータ送信部は前記マルチキャストデータを、前記送信先アドレスを変更することなく前記ユニキャストベアラを介して前記移動端末に送信する請求項２記載のマルチキャスト配信システム。
【請求項４】
前記コアネットワークノード装置は、マルチキャストグループ退出要求を前記移動端末から受信するに伴い、前記マルチキャスト参加リストから当該移動端末の登録を削除する登録削除制御部と、前記登録が削除された前記移動端末への前記マルチキャストデータの分配送信を停止するマルチキャストデータ送信停止制御部と、前記マルチキャスト参加リストから前記移動端末の登録が全て削除されるに伴い前記上位ネットワークに対し前記マルチキャストデータの配信停止を要求する配信停止要求部とを備え、
前記無線基地局の前記ユニキャストベアラ構築部は、前記移動端末との間に構築されている前記ユニキャストベアラの構築状態を、前記マルチキャスト参加リスト登録部から当該移動端末が削除されるに伴い解除する請求項３記載のマルチキャスト配信システム。
【請求項５】
無線基地局を経由した移動端末からのマルチキャストグループ参加要求を受け付けるマルチキャスト参加受付部と、
前記マルチキャストグループ参加要求をマルチキャスト参加リストに登録するマルチキャスト参加リスト登録部と、
上位ネットワークから配信されるマルチキャストデータを受信するマルチキャストデータ受信部、前記マルチキャスト参加リストに登録されている前記移動端末との間に個別のユニキャストベアラを構築するためのユニキャストベアラ構築指示を前記無線基地局に向けて送信するユニキャストベアラ構築指示送信部、及び前記無線基地局に前記マルチキャストデータを転送するマルチキャストデータ転送部を有するマルチキャストプロキシ部と、
を備えたことを特徴とするコアネットワークノード装置。
【発明の詳細な説明】
【技術分野】
【０００１】
この発明は携帯端末等の移動端末を含んだマルチキャスト配信システムに関するものであり、特にＬＴＥ（Long Term Evolution）システムなどにおいてマルチキャストデータの配信機能を、ｅＭＢＭＳ（evolved Multimedia Broadcast Multicast Service）よりも簡便なネットワーク構成にて実現するためのマルチキャスト配信システムと、それに用いるコアネットワークノード装置に関する。
【背景技術】
【０００２】
移動通信システムの標準化プロジェクトである３ＧＰＰ（Third Generation  Partnership Project）において、マルチキャスト／ブロードキャストサービスを提供するために、ＭＢＭＳ（Multimedia Broadcast Multicast Service）が仕様化されている。現行のＭＢＭＳにおいては、複数のセルからなるＭＢＳＦＮ（Multicast-Broadcast Single−Frequency Network）のエリア単位で、マルチキャスト専用の物理チャネルであるＰＭＣＨ（Physical Multicast Channel）を介してマルチキャストデータが送信される（ＭＢＳＦＮ伝送）。この場合、無線基地局と移動端末との間にはマルチキャスト専用の無線ベアラであるマルチキャストベアラが構築され、マルチキャストデータは該マルチキャストベアラを介して各移動端末へ配信される（特許文献１，２）。
【０００３】
また、特許文献３に開示されている方式も、その段落００４５に「さらに、基地局装置１２は、ＭＢＭＳ無線チャネル指示（ＭＢＭＳ Radio Channel Indication）メッセージで無線チャネルを端末１３に通知する」と記載され、段落００７７に「ＭＢＭＳデータを転送するベアラ（transport bearer for ＭＢＭＳ）は、ＩＰマルチキャストアドレスによって識別することができる。」と記載されているごとく、特許文献１及び特許文献２に開示されているのと同様のマルチキャストベアラを用いた配信方式である。
【先行技術文献】
【特許文献】
【０００４】
【特許文献１】特開２０１３−１４６１０９号公報
【特許文献２】特開２０１８−１１３７０６号公報
【特許文献３】特許５６４１０８８号公報
【発明の概要】
【発明が解決しようとする課題】
【０００５】
しかしながら、マルチキャストベアラを用いてマルチキャスト配信を行なうためには、コアネットワーク及び無線基地局だけでなく、移動端末も含めてＭＢＭＳ仕様の無線インターフェース、すなわちマルチキャストベアラ構築が可能な無線インターフェースを備えていなければならない。３ＧＰＰにおけるＭＢＭＳサービスはサービス共用されてからまだ間もないことから、ＭＢＭＳに対応した移動端末の普及が追い付いておらず、ＭＢＭＳ未対応の移動端末しか保有していないユーザは、マルチキャストデータの配信を受けることが受けることができない問題がある。
【０００６】
本発明の課題は、コアネットワークノード装置の処理負荷の増大させることなく、コアネットワークから無線基地局が受信するマルチキャストデータをＭＢＭＳに未対応の移動端末でも問題なく配信できるマルチキャスト配信システム及びそれに用いるコアネットワークノード装置を提供することにある。
【課題を解決するための手段】
【０００７】
上記の課題を解決するために、本発明のマルチキャスト配信システムは、以下のように構成されることを特徴とする。すなわち、該マルチキャスト配信システムは、コアネットワークノード装置と、コアネットワークノード装置と物理回線により接続される無線基地局と、該無線基地局と無線接続される移動端末とを有し、コアネットワークノード装置から移動端末にＭＢＭＳ（Multimedia Broadcast Multicast Service）に準拠したマルチキャストデータを配信可能に構成される。コアネットワークノード装置には、無線基地局を経由した移動端末からのマルチキャストグループ参加要求を受け付けるマルチキャスト参加受付部と、マルチキャストグループ参加要求をマルチキャスト参加リストに登録するマルチキャスト参加リスト登録部と、上位ネットワークから配信されるマルチキャストデータを受信するマルチキャストデータ受信部、マルチキャスト参加リストに登録されている移動端末との間に個別のユニキャストベアラを構築するためのユニキャストベアラ構築指示を無線基地局に向けて送信するユニキャストベアラ構築指示送信部、及び無線基地局にマルチキャストデータを転送するマルチキャストデータ転送部を有するマルチキャストプロキシ部と、が設けられる。また、無線基地局には、ユニキャストベアラ構築指示を受信するユニキャストベアラ構築指示受信部と、該ユニキャストベアラ構築指示を受けてマルチキャスト参加リストに登録されている移動端末との間に個別のユニキャストベアラを構築するユニキャストベアラ構築部と、該ユニキャストベアラを介して移動端末にマルチキャストデータを送信するマルチキャストデータ送信部とが設けられる。そして、マルチキャストデータが、コアネットワークノード装置から無線基地局を経由してマルチキャスト参加リストに登録された移動端末に対し、個別のユニキャストベアラを介して分配送信される。
【０００８】
また、本発明のコアネットワークノード装置は、無線基地局を経由した移動端末からのマルチキャストグループ参加要求を受け付けるマルチキャスト参加受付部と、マルチキャストグループ参加要求をマルチキャスト参加リストに登録するマルチキャスト参加リスト登録部と、上位ネットワークから配信されるマルチキャストデータを受信するマルチキャストデータ受信部、マルチキャスト参加リストに登録されている移動端末との間に個別のユニキャストベアラを構築するためのユニキャストベアラ構築指示を無線基地局に向けて送信するユニキャストベアラ構築指示送信部、及び無線基地局にマルチキャストデータを転送するマルチキャストデータ転送部を有するマルチキャストプロキシ部とを備えたことを特徴とする。
【発明の効果】
【０００９】
本発明のマルチキャスト配信システムにおいては、移動端末からのマルチキャストグループ参加要求を受け付けて登録するマルチキャスト参加リスト登録部をコアネットワークノード装置に設ける。また、該コアネットワークノード装置には、無線基地局に対してマルチキャストグループ参加要求のあった移動端末との間にユニキャストベアラを個別に構築する指示を行なうとともに、上位ネットワークから受信するマルチキャストデータを無線基地局に転送するマルチキャストプロキシ部が設けられる。マルチキャストデータは、コアネットワークノード装置から無線基地局を経由してマルチキャスト参加リストに登録された移動端末に対し、上記の個別のユニキャストベアラを介して分配送信される。該構成により、無線基地局及び移動端末との間にマルチキャストデータを伝送する無線ベアラとして張られるのがユニキャストベアラとなり、マルチキャストベアラを構築できないＭＢＭＳ未対応の移動端末でもマルチキャストデータを問題なく受信できるようになる。
【図面の簡単な説明】
【００１０】
【図１】本発明の一実施形態であるマルチキャスト配信システムのブロック図。
【図２】コアネットワークノード装置のブロック図。
【図３】ｅＮｏｄｅＢ（無線基地局）のブロック図。
【図４】ＵＥ（移動端末）のブロック図。
【図５】ＩＰパケットの概念図。
【図６】３ＧＰＰのコントロールプレーンのプロトコルスタックを概念的に示す図。
【図７】３ＧＰＰのユーザープレーンのプロトコルスタックを概念的に示す図。
【図８】本発明における下りリンクのチャネルマッピングを概念的に示す図。
【図９】リソースブロックの概念図。
【図１０】ＵＥがコアネットワークにアタッチする際の処理の流れを示す通信フロー図。
【図１１】本発明のマルチキャスト配信システムにおいてＵＥをマルチキャストグループに登録する処理の流れを示す通信フロー図。
【図１２】本発明のマルチキャスト配信システムにおいて、登録済みのＵＥに個別のユニキャストベアラを用いてデータストリーミングを行なう処理の通信フロー図。
【図１３】本発明のマルチキャスト配信システムにおいて、データストリーミングが終了したＵＥがマルチキャストグループを退出する処理の通信フロー図。
【発明を実施するための形態】
【００１１】
以下、本発明を実施するための形態を添付の図面に基づいて説明する。
図１は、本発明の一実施形態であるマルチキャスト配信システムの全体構成を示すブロック図である。マルチキャスト配信システム１は３ＧＰＰ（Third Generation Partnership Project）仕様に従う発展型無線通信網、具体的にはＬＴＥシステムとして構成されている。ネットワークの要部は、コアネットワーク（あるいはＥＰＣ：Evolved Packet Core）と、無線基地局をなすｅＮｏｄｅＢ４と、これらを接続する物理回線網をなすＥ−ＵＴＲＡＮ７（Evolved Universal Terrestrial Radio Access Network：図示の部分はＳ１回線と称される）からなり、ｅＮｏｄｅＢ４には複数のＵＥ５（User Equipment：移動端末）が無線接続される。また、図示はしていないが、Ｅ−ＵＴＲＡＮ７は、ｅＮｏｄｅＢ４を他のｅＮｏｄｅＢ４と接続するためのハンドオーバー用のＸ２回線を含む。
【００１２】
コアネットワーク（ＥＰＣ）にはコアネットワークノード装置３が設けられている。後述のごとく、本発明においては該コアネットワークノード装置３にマルチキャストプロキシ部３ｃが機能的に組み込まれる。該マルチキャストプロキシ部３ｃは、本実施形態においては、ＩＧＭＰ（Internet Group Management Protocol）のバージョン３（ＩＧＭＰｖ３）に準拠したプロキシ機能を具現化するものとして構築されている。
【００１３】
ｅＮｏｄｅＢ４はＥ−ＵＴＲＡＮ７を介して該コアネットワークノード装置３に接続されている。そしてコアネットワークノード装置３はマルチキャストプロキシ部３ｃにて、配信コンテンツを構成するマルチキャストデータをメディアサーバ６からマルチキャストルータ８を経由して受信するとともに、コアネットワークノード装置３からｅＮｏｄｅＢ４を経由してＵＥ５に、個別のユニキャストベアラ１２を経由してＭＢＭＳ（evolved Multimedia Broadcast Multicast Service）に準拠したマルチキャストデータを配信するようになっている。
【００１４】
マルチキャストルータ８は、メディアサーバ６から送信されるマルチキャストデータを複数のコアネットワークノード装置３に分配する役割を担う。具体的には、接続先のコアネットワークノード装置３からのマルチキャスト参加要求を受けて、該コアネットワークノード装置３をプロキシリストに登録するためのプロキシリスト登録部８ａを備え、該プロキシリストに登録されたコアネットワークノード装置３にのみマルチキャストデータの配信を行なう。なお、コアネットワークノード装置３の設置数が１台のみである場合は、マルチキャストルータ８は省略することができる。
【００１５】
図２はコアネットワークノード装置３の構成例を示すブロック図である。コアネットワークノード装置３は、ＭＰＵ（Micro Processor Unit）にて構成された制御部３ａと、メディアサーバ６からマルチキャストルータ８を経由してマルチキャストデータを受信するための上位側送受信部３ｋと、コア側送受信部３ｆとがバス接続されたハードウェア構成を有する。コア側送受信部３ｆは、ｅＮｏｄｅＢ４との間でユニキャストデータ及びマルチキャストデータをＥ−ＵＴＲＡＮ７の物理回線（Ｓ１回線）を介して送受信するためのものである。
【００１６】
コアネットワークノード装置３には、制御部３ａが実行するソフトウェアモジュール（又は制御部３ａからの指令により動作するハードウェアロジック）により機能実現する以下の要素が設けられている（図１も参照）。
＜マルチキャスト参加管理部３ｂ＞
以下の機能実現モジュールが組み込まれている。
・マルチキャスト参加受付部３ｂ１：ｅＮｏｄｅＢ（無線基地局）４を経由したＵＥ（移動端末）５からのマルチキャストグループ参加要求を受け付ける。具体的には、ＵＥ５からのマルチキャストグループ参加要求を当該ＵＥ５の端末アドレスとともに受け付ける。
・マルチキャスト参加リスト登録部３ｂ２：半導体メモリあるいは固定記憶装置として構成され、各ＵＥ５からのマルチキャストグループ参加要求をマルチキャスト参加リストに記憶・登録する。具体的には、ＵＥ５からのマルチキャストグループ参加要求を端末アドレスと対応付けてマルチキャスト参加リストに登録する
【００１７】
・登録削除制御部３ｂ３：マルチキャストグループ退出要求をＵＥ（移動端末）５から受信するに伴い、マルチキャスト参加リスト登録部３ｂ２から当該移動端末の登録を削除する。
・プロキシ登録要求部３ｂ４：上位ネットワーク装置であるマルチキャストルータ８に対し、該マルチキャストルータ８内に設けられたプロキシリスト登録部８ａにマルチキャストデータの配信先としてコアネットワークノード装置３を登録する要求（プロキシ登録要求）を、上位側送受信部３ｋに送信させる。該プロキシ登録要求は、コアネットワークノード装置３が、ＵＥ５からマルチキャストグループ参加要求を最初に受信するに伴い、マルチキャストルータ８に送信される。なお、後述のごとく、マルチキャストルータ８が省略される場合は、該プロキシ登録要求部３ｂ４も省略される。
【００１８】
＜マルチキャストプロキシ部３ｃ＞
以下の機能実現モジュールが組み込まれている。
・マルチキャストデータ受信指令部３ｃ１：上位ネットワーク（本実施形態では、メディアサーバ６及びマルチキャストルータ８）から配信されるマルチキャストデータの受信を上位側送受信部３ｋに指令する。該上位側送受信部３ｋと連携し、マルチキャストデータ受信部の機能を実現する。
・コア側ユニキャストベアラ構築指示送信指令部３ｃ２：マルチキャスト参加リストに登録されているＵＥ５（移動端末）との間に個別のユニキャストベアラ１２を構築するための、ユニキャストベアラ構築指示をｅＮｏｄｅＢ４（無線基地局）に向けて送信することを、コア側送受信部３ｆに対し指令する。コア側送受信部３ｆと連携し、ユニキャストベアラ構築指示送信部の機能を実現する。具体的には、マルチキャスト参加リストにて端末アドレスに基づきユニキャストベアラ１２の構築先となるＵＥ５を特定し、当該ＵＥ５に対するユニキャストベアラ１２の構築指示をｅＮｏｄｅＢ４に対して送信する。
【００１９】
・マルチキャストデータ転送指令部３ｃ３：ｅＮｏｄｅＢ４（無線基地局）へのマルチキャストデータの転送をコア側送受信部３ｆに対して指令する。コア側送受信部３ｆと連携し、マルチキャストデータ転送部の機能を実現する。
・マルチキャストデータ送信停止指令部３ｃ４：コア側送受信部３ｆに対し、登録が削除されたＵＥ５へのマルチキャストデータの分配送信を停止する指令を行なう。コア側送受信部３ｆと連携し、マルチキャストデータ送信停止制御部の機能を実現する。
【００２０】
・配信停止要求指令部３ｃ５：マルチキャスト参加リスト登録部３ｂ２からＵＥ５の登録が全て削除されるに伴い、マルチキャストデータの配信停止要求をマルチキャストルータ８（上位ネットワーク装置）に対し上位側送受信部３ｋに送信させる指令を行なう。上位側送受信部３ｋと連携し、配信停止要求部の機能を実現する。
【００２１】
＜ＵＥ接続管理部３ｄ＞
ｅＮｏｄｅＢ４を介してコアネットワークノード装置３に接続（アタッチ）するＵＥ５にＩＰアドレスを割り振り、ユニキャストベアラ１２を含むＥＰＳベアラを構築する処理を管理する。ＥＰＳベアラは、ＵＥ５とｅＮｏｄｅＢ４との間の無線ベアラである上記ユニキャストベアラ１２と、ｅＮｏｄｅＢ４よりもコアネットワーク側の有線ベアラとを合わせた概念である。有線ベアラが構築される物理回線は、Ｅ−ＵＴＲＡＮ７をなす物理回線（具体的にはｅＮｏｄｅＢ４とのコントロールプレーン側ノードをなすＭＭＥとを結ぶＳ１−ＭＭＥ回線、及びｅＮｏｄｅＢ４とのユーザープレーン側ノードをなすＳ−ＧＷ（Serving Gateway）とを結ぶＳ１−Ｕ回線）と、コアネットワーク内のＳ−ＧＷ（Serving Gateway）と外部ネットワークとの接続ノードをなすＰ−ＧＷ（Packet data network Gateway）とを結ぶＳ５回線とからなるものである。ＥＰＳベアラは、コアネットワークにアタッチするＵＥ５毎に生成され、各々ベアラＩＤが付与される。また、ＵＥ５のアタッチシーケンスにおいては、各ＵＥ５にベアラＩＤとは別に固有のＩＰアドレスが付与される。そして、各ＵＥ５のベアラＩＤとＩＰアドレスとは互いに対応付けられた形でＵＥアドレス・ベアラリスト記憶部３ｄに記憶される。
【００２２】
図３は、ｅＮｏｄｅＢ４の構成例を示すブロック図である。ｅＮｏｄｅＢ４はＭＰＵにて構成された制御部４ａと、コアネットワークノード装置３との間でＥ−ＵＴＲＡＮ７を経由してデータを送受信するための上位側送受信部４ｋと、基地局側無線送受信部４ｆとがバス接続されたハードウェア構成を有する。該ｅＮｏｄｅＢ４には、制御部４ａが実行するソフトウェアモジュール又は制御部４ａからの指令により動作するハードウェアロジックにより機能実現する以下の要素が設けられている（図１も参照）。
【００２３】
・ユニキャストベアラ構築指示受信指令部４ｂ：コアネットワークノード装置３からのユニキャストベアラ構築指示の受信を上位側送受信部４ｋに指令する。
・基地局側ユニキャストベアラ構築指示部４ｃ：コアネットワークノード装置３からのユニキャストベアラ構築指示を受け基地局側無線送受信部４ｆに対し、マルチキャスト参加リストに登録されているＵＥ５（移動端末）との間に個別のユニキャストベアラ１２の構築を指令する。基地局側無線送受信部４ｆ及びＵＥ５と連携し、ユニキャストベアラ構築部の機能を実現する。
・マルチキャストデータ送信指令部４ｄ：構築されたユニキャストベアラ１２を介したＵＥ５（移動端末）へのマルチキャストデータの送信を基地局側無線送受信部４ｆに指令する。基地局側無線送受信部４ｆと連携し、マルチキャストデータ送信部の機能を実現する。
【００２４】
図４はＵＥ５の構成例を示すブロック図である。ＵＥ５はＭＰＵにて構成された制御部５ａと、端末側無線送受信部５ｆとがバス接続されたハードウェア構成を有する。また、制御部５ａが実行するソフトウェアモジュール又は制御部５ａからの指令により動作するハードウェアロジックにより機能実現する以下の要素が設けられている。
・ユニキャストベアラ構築指令部５ｂ：ｅＮｏｄｅＢ４からのユニキャストベアラ構築指示を受け、端末側無線送受信部５ｆにｅＮｏｄｅＢ４との間のユニキャストベアラ１２の構築を指令する。端末側無線送受信部５ｆ及び基地局側無線送受信部４ｆと連携し、ユニキャストベアラ構築部の機能を実現する。
・マルチキャスト参加要求送信指令部５ｃ：端末側無線送受信部５ｆに対し、ｅＮｏｄｅＢ４へのマルチキャスト参加要求の送信を指令する。
【００２５】
図５は、マルチキャストにて配信されるＩＰパケットの一例を示す模式図である。ＩＰパケット３００はＩＰヘッダ３０１とＩＰペイロード３０２とからなり、ＩＰヘッダ３０１にはＩＰペイロード３０２へ書き込まれるデータの送信元ＩＰアドレス３０１ａ、同じく送信先ＩＰアドレス３０１ｂが書き込まれる。また、ＩＰペイロード３０２には、ユーザーデータの場合は配信コンテンツの主体となるデータが、制御データの場合は種々の制御コマンドなどが書き込まれる。マルチキャストパケットの場合は、送信先アドレス３０１ｂとしてマルチキャストグループを特定するための特有のＩＰアドレスが書き込まれる。
【００２６】
図６及び図７は、ＬＴＥシステムにおける無線インターフェースのプロトコルスタックを示し、図６はユーザープレーンのプロトコルスタックを、図７はコントロールプレーンのプロトコルスタックを示している。無線インターフェースプロトコルは、ＯＳＩ参照モデルのレイヤ１〜レイヤ３に区分されており、レイヤ１はＰＨＹ（物理）層である。レイヤ２は、ＭＡＣ（Medium Access Control：メディアアクセス制御）層、ＲＬＣ（Radio Link Control：無線リンク制御）層、及びＰＤＣＰ（Packet Data Convergence Protocol：パケットデータ暗号化）層を含む。レイヤ３は、ＲＲＣ（Radio Resource Control：無線リソース制御）層及びＮＡＳ（Non-Access Stratum：非アクセス）層を含む。
【００２７】
各層の役割は以下の通りである。
・ＰＨＹ層：符号化・復号、変調・復調、アンテナマッピング・デマッピング、及びリソースマッピング・デマッピングを行う。ＵＥ５のＰＨＹ層とｅＮｏｄｅＢ４のＰＨＹ層との間では、物理チャネルを介してデータ及び制御信号が伝送される。
・ＭＡＣ層：データの優先制御、ＨＡＲＱ（Ｈｙｂｒｉｄ  ＡＲＱ）による再送処理、及びランダムアクセス手順等を行う。ＵＥ５のＭＡＣ層とｅＮｏｄｅＢ４のＭＡＣ層との間では、トランスポートチャネルを介してデータ及び制御信号が伝送される。ｅＮｏｄｅＢ４のＭＡＣ層は、上下リンクのトランスポートフォーマット（トランスポートブロックサイズ、変調・符号化方式（ＭＣＳ））及びＵＥ５への割当リソースブロックを決定するスケジューラを含む。
【００２８】
・ＲＬＣ層：ＭＡＣ層及びＰＨＹ層の機能を利用してデータを受信側のＲＬＣ層に伝送する。ＵＥ５のＲＬＣ層とｅＮｏｄｅＢ４のＲＬＣ層との間では、論理チャネルを介してデータ及び制御信号が伝送される。
・ＰＤＣＰ層：ヘッダ圧縮・伸張、及び暗号化・復号化を行う。
・ＲＲＣ層：制御信号を取り扱う制御プレーンでのみ定義される。ＵＥ５のＲＲＣ層とｅＮｏｄｅＢ４のＲＲＣ層との間では、各種設定のためのメッセージ（ＲＲＣメッセージ）が伝送される。ＲＲＣ層は、無線ベアラ（ユニキャストベアラ）の確立、再確立及び解放に応じて、論理チャネル、トランスポートチャネル及び物理チャネルを制御する。ＵＥ５のＲＲＣとｅＮｏｄｅＢ４のＲＲＣとの間に接続（ＲＲＣ接続）がある場合、ＵＥ５はＲＲＣコネクティッドモードとなり、そうでない場合はＲＲＣアイドルモードとなる。
【００２９】
以上の層はコントロールプレーン及びユーザープレーンの双方にて使用される。一方、コントロールプレーンのみ、ＵＥ５及びコアネットワークノード装置３には、ＲＲＣ層よりさらに上位に、セッション管理及びモビリティ管理等を行うＮＡＳ層が設けられる。
【００３０】
次に、図８は、ＬＴＥシステムにおける下りリンクのチャネルマッピングを示す。ここでは、論理チャネル（Downlink Logical Channel）、トランスポートチャネル（Downlink Transport Channel）及び物理チャネル（Downlink Physical Channel）相互間のマッピング関係を示している。以下、順に説明する。
・ＤＴＣＨ（Dedicated Traffic Channel：専用トラフィックチャネル）は、データの送信のための個別論理チャネルである。ＤＴＣＨは、トランスポートチャネルであるＤＬＳＣＨ（Downlink Shared Channel：下りシェアドチャネル）にマッピングされる。
・ＤＣＣＨ（Dedicated Control Channel：専用制御チャネル）：ＵＥ５とネットワークとの間の個別制御情報を送信するための論理チャネルである。ＤＣＣＨは、ＵＥ５がＲＲＣ接続を有する場合に用いられる。ＤＣＣＨは、ＤＬＳＣＨにマッピングされる。
・ＣＣＣＨ（Common Control Channel：共通制御チャネル）：ＵＥ５とｅＮｏｄｅＢ４との間の送信制御情報のための論理チャネルである。ＣＣＣＨは、ＵＥ５がｅＮｏｄｅＢ４（ネットワーク）との間でＲＲＣ接続を有していない場合に用いられる。ＣＣＣＨはＤＬＳＣＨにマッピングされる。
【００３１】
・ＢＣＣＨ（Broadcast Control Channel：放送制御チャネル）：システム情報配信のための論理チャネルである。ＢＣＣＨは、トランスポートチャネルであるＢＣＨ（Broadcast Channel、放送チャネル）又はＤＬＳＣＨにマッピングされる。
・ＰＣＣＨ（Paging Control Channel：ページング制御チャネル）：ページング情報、及びシステム情報変更を通知するための論理チャネルである。ＰＣＣＨは、トランスポートチャネルであるＰＣＨ（Paging Channel：ページングチャネル）にマッピングされる。
【００３２】
・ＭＣＣＨ（Multicast Control Channel：マルチキャスト制御チャネル）：マルチキャスト伝送のための論理チャネルである。ＭＣＣＨは、ｅＮｏｄｅＢ４からＵＥ５へのＭＴＣＨ用のＭＢＭＳ制御情報の送信のために用いられる。ＭＣＣＨは、トランスポートチャネルであるＭＣＨ（Multicast Channel：マルチキャストチャネル）にマッピングされる。
・ＭＴＣＨ（Multicast Traffic Channel：マルチキャストトラフィックチャネル）：ｅＮｏｄｅＢ４からＵＥ５へのマルチキャストデータ（コンテンツ）を伝送するための論理チャネルである。ＭＴＣＨは、ＭＣＨにマッピングされる。
本発明においては、図２のコアネットワークノード装置３のマルチキャストプロキシ部３ｃの機能により、マルチキャストデータがｅＮｏｄｅＢ４を経てＵＥ５に対しＤＬＳＣＨを用いたユニキャストベアラにより配信されるため、ＭＢＭＳ専用に用意されたこれらのマルチキャストチャネル群（図８において破線で示した部分５０）は使用されない、という点が重要である。
【００３３】
また、トランスポートチャネルと物理チャネルとの間のマッピング関係は以下の通りである。
ＤＬＳＣＨ及びＰＣＨ：ＰＤＳＣＨ（Physical Downlink Shared Channel：物理下りシェアドチャネル）にマッピングされる。ＤＬＳＣＨは、ＨＡＲＱ、リンクアダプテーション、及び動的リソース割当をサポートする。
・ＢＣＨ：ＰＢＣＨ（Physical Broadcast Channel：物理ブロードキャストチャネル）にマッピングされる。
・ＭＣＨ：ＰＭＣＨ（Physical Multicast Channel：物理マルチキャストチャネル）にマッピングされる。ＭＣＨは、複数のセルによるＭＢＳＦＮ伝送をサポートするが、本発明においては使用されない。
【００３４】
次に、ＬＴＥシステムにおいては、ＵＥ５はｅＮｏｄｅＢ４に対してＯＦＤＭ（Orthogonal Frequency-Division Multiplexing、直交周波数分割多重）アクセス（ＯＦＤＭＡ）により無線接続する。ＯＦＤＭＡ方式は、周波数分割多重と時間分割多重とを複合させた二次元の多重化アクセス方式として特徴づけられる。具体的には、直交する周波数軸と時間軸のチャネル（サブキャリア）を分割してＵＥ５に割り振り、各サブキャリアの信号がゼロ（０点）になるように周波数軸上で直交するサブキャリアを分割する。サブキャリアを分割して周波数軸上に割り当てることにより、あるサブキャリアがフェージングの影響を受けても影響のない別のサブキャリアを選択することがでるので、ユーザは無線環境に応じてより良好なサブキャリアを使用でき、無線品質を維持できる利点が生ずる。
【００３５】
そして、ＯＦＤＭＡ方式においては、周波数軸と時間軸とが張る仮想平面上で定義されるリソースブロック(Resource Block：以下、ＲＢともいう）が無線リソースとして採用される。ＲＢは図９に示すように、上記平面を１８０ｋＨｚ／０．５ｍｓｅｃでマトリックスに区切ったブロックとして定義され、各ブロックは周波数軸上では１５ｋＨｚ間隔で隣接する１２個のサブキャリアを、時間軸上ではフレームの１スロット分（７シンボル）を含む。このＲＢは時間軸上で隣接する２つ（１ｍｓｅｃ）を１組としてＵＥ５に割り当てられる。
【００３６】
本発明においては、従来のＭＢＭＳシステムと同様に、マルチキャストグループ参加要求のあったＵＥ５がマルチキャストグループに登録され、その登録されたＵＥ５に対してマルチキャストデータ（コンテンツ）が配信される。しかし、そのマルチキャストグループの登録管理を行なうコアネットワークノード装置３は、登録されているＵＥ５のＩＰアドレスを特定しつつ、そのＩＰアドレスによりコンテンツ配信先となるＵＥ５との間に個別のユニキャストベアラ１２を構築し、そのユニキャストベアラ１２によりマルチキャストデータの配信を行なう。
【００３７】
すなわち、周波数帯域占有幅が小さくかつ周波数リソースがダイナミックに割り当て制御される該ユニキャストベアラを、マルチキャストグループに参加するＵＥ５の台数分だけ構築すればよいので、マルチキャストに参加するＵＥ５の数によらず周波数帯域占有幅の大きいマルチキャストベアラを使用する従来のＭＢＭＳ方式と比較して、限られた無線リソースをより有効に活用することができる。また、ＵＥ５としては、マルチキャストベアラを構築できないＭＢＭＳ非対応の機器であっても、マルチキャストデータの受信が可能となる（ＭＢＭＳ対応機器ももちろん使用可能であるが、ユニキャスト部分だけが使用される形となる）。
【００３８】
また、マルチキャストデータ（コンテンツ）の配信が終了したＵＥ５はマルチキャストグループから順次退出し、張られているユニキャストベアラが順次切断されるので、マルチキャストデータ（コンテンツ）の配信があるＵＥ５に対して終了するたびに、占有されていた無線リソースは解放されることとなる。これにより、マルチキャストグループに参加するＵＥ５のうち、コンテンツ配信が継続しているＵＥ５についてのみ、ユニキャストベアラを張るための無線リソースを割り当てればよくなる。
【００３９】
以下、図１のマルチキャスト配信システム１の動作について、図１０〜図１３の通信フロー図を用いて説明する。図１０は、電源投入（立ち上げ）に伴いＵＥ５がＬＴＥネットワークに接続（アタッチ）するときの処理の流れを示すものである。図１０においては、例示として、２つのＵＥ（Ｉ）及びＵＥ（ＩＩ）が順次、ｅＮｏｄｅＢ４に対して接続する状況を示している。すなわち、ＴＳ９０１ではＵＥ（Ｉ）の電源が投入される。これに伴いＵＥ（Ｉ）、ｅＮｏｄｅＢ４及びコアネットワークノード装置３の間では、初期接続のためのアタッチシーケンスが実行される。このアタッチシーケンスは、ＬＴＥシステムにおける通常のユニキャスト通信と同様の手順にて実施される。
【００４０】
上記のアタッチシーケンスが完了すると、ＴＳ９０２では、ＵＥ（Ｉ）、ｅＮｏｄｅＢ４及びコアネットワークノード装置３の間にＥＰＳベアラ（Ｉ）が構築される。このとき、ＵＥ（Ｉ）にはＩＰアドレス（11.11.15.105）が割り振られるとともに、構築されたＥＰＳベアラ（Ｉ）にはベアラＩＤとしてBID#1が割り振られ、ＴＳ９０３にて、これらが互いに対応付けられてＵＥアドレス・ベアラリスト記憶部３ｄ１に記憶される。
【００４１】
続いて、ＴＳ９０４ではＵＥ（ＩＩ）の電源が投入される。これに伴い、ＵＥ（ＩＩ）、ｅＮｏｄｅＢ４及びコアネットワークノード装置３の間では、初期接続のためのアタッチシーケンスが実行される。そして、ＴＳ９０５では、ＵＥ（ＩＩ）、ｅＮｏｄｅＢ４及びコアネットワークノード装置３の間にＥＰＳベアラ（ＩＩ）が構築される。このとき、ＵＥ（ＩＩ）にはＩＰアドレス（11.11.15.106）が割り振られるとともに、構築されたＥＰＳベアラ（ＩＩ）にはベアラＩＤとしてBID#2が割り振られ、ＴＳ９０6にて、これらが互いに対応付けられてＵＥアドレス・ベアラリスト記憶部３ｄ１に追加記憶される。以降、さらに新たなＵＥ５の接続があった場合も、同様の処理が繰り返される。
【００４２】
図１１は、各ＵＥ５がマルチキャストグループ参加要求を行なう際の処理の流れを示している。ｅＮｏｄｅＢ４と各ＵＥ５（ＵＥ（Ｉ），ＵＥ（ＩＩ），・・・）との間は無線ベアラ接続、ｅＮｏｄｅＢ４とコアネットワークノード装置３との間はＳ１及びＳ５回線を用いた有線ベアラ接続である。前述の通り、ＵＥ（Ｉ）及びＵＥ（ＩＩ）のＩＰアドレスは、それぞれ「11.11.15.105」及び「11.11.15.106」である。また、マルチキャストグループのグループＩＰアドレスは「239.255.0.1」である。他方、マルチキャストルータ８と対応付けて示されているＩＰアドレス：「224.0.0.22」は、ＩＧＭＰｖ３固有に割り振られたリンクローカルアドレスである。このＩＰアドレスにより指定される宛先は、マルチキャストルータ８が属するローカルネットワークエリア内の全てのホストノード装置であり、当該宛先を示すＩＰパケットによりマルチキャストグループへの参加・離脱の制御メッセージが送信される。結果的にマルチキャストルータ８はこれを受信することで、グループへの参加・離脱を管理する役割を果たす。
【００４３】
マルチキャストのストリーム開始前の状態では、コアネットワークノード装置３のマルチキャスト参加リスト登録部３ｂ２には、マルチキャストグループのＩＰアドレスも、参加ＵＥのＩＰアドレスも登録されていない空の状態となっている（ＴＳ１００１）。そして、ＴＳ１００２では、ＵＥ（Ｉ）からマルチキャストグループ参加要求が、グループＩＰアドレス「239.255.0.1」を指定する形でｅＮｏｄｅＢ４を経由してコアネットワークノード装置３に送信される。なお、以下も同様であるが、データ送信方向を示す矢印の下には、送信されるパケットのＩＰヘッダに記入される送信元アドレスと送信先アドレスとを表示している（例えばＴＳ１００２では「送信元:11.11.15.105, 送信先 224.0.0.22」）。
【００４４】
コアネットワークノード装置３ではこれを受信し、ＴＳ１００３でマルチキャスト参加リスト登録部３ｂ２にグループＩＰアドレス（「239.255.0.1」）と参加ＵＥのＩＰアドレス（ここでは、ＵＥ（Ｉ）の「11.11.15.105」）が登録される。また、コアネットワークノード装置３において、これが最初のマルチキャストグループ参加要求であるため、ＴＳ１００４にて、上位ネットワーク装置であるマルチキャストルータ８にマルチキャストグループ参加要求を送信する。マルチキャストルータ８においてはプロキシリスト登録部８ａに、グループＩＰアドレス（「239.255.0.1」）とコアネットワークノード装置３を特定するためのＩＰアドレス（ここでは、コアネットワークノード装置３に対し最初のマルチキャストグループ参加要求を送信したＵＥ（Ｉ）のＩＰアドレス「11.11.15.105」）が登録される（プロキシリスト登録）。
【００４５】
続いて、ＴＳ１００６では、ＵＥ（ＩＩ）からマルチキャストグループ参加要求が同様にｅＮｏｄｅＢ４を経由してコアネットワークノード装置３に送信される。コアネットワークノード装置３ではこれを受信し、ＴＳ１００７でマルチキャスト参加リスト登録部３ｂ２にＵＥ（ＩＩ）のＩＰアドレス「11.11.15.106」が追加登録される。ここでは、すでにＴＳ１００４にてマルチキャストルータ８へのプロキシリスト登録は終了しているので、新たな登録のための情報送信は行われない。以下、マルチキャストグループに参加するＵＥ５がさらに存在する場合にはＴＳ１００６及びＴＳ１００７の手順が繰り返され、マルチキャスト参加リスト登録部３ｂ２に各ＵＥ５のＩＰアドレスが順次登録される。
【００４６】
各ＵＥ５のマルチキャストグループ参加要求のマルチキャスト参加リスト登録部３ｂ２への登録処理が終了すれば、図１２に示すコンテンツ配信処理のシーケンスに移る。マルチキャストルータ８はメディアサーバ６からコンテンツのストリームデータ（マルチキャストデータ）を受信し、プロキシリスト登録部８ａ（図２）に登録されているコアネットワークノード装置３に対し、これを送信する（ＴＳ２００１）。マルチキャストルータ８はプロキシリスト登録部８ａにプロキシ登録されているコアネットワークノード装置３に該ストリームデータを転送する（プロキシ登録されているコアネットワークノード装置３が複数ある場合は、各コアネットワークノード装置３にストリームデータを分配転送する）。
【００４７】
このとき、メディアサーバ６からマルチキャストルータ８を経てコアネットワークノード装置３に送信されるストリームデータのパケットのＩＰヘッダの内容は、「送信元:192.168.12.4（メディアサーバ）、 送信先 239.255.0.1（マルチキャストグループ）」となっている。送信先アドレスをアンダーラインにて強調して示す通り、これは、特定のＵＥ５を送信先とするユニキャストパケットではなく、ＩＰアドレスが示すマルチキャストグループに参加したＵＥ５を送信対象とするマルチキャストパケットであることを意味している。
【００４８】
従来のＭＢＭＳシステムでは、該マルチキャストパケットはコアネットワークノード装置３からｅＮｏｄｅＢを経て各ＵＥに対し、ＭＢＭＳ専用のマルチキャストベアラを用いて配信されていた。通常のＭＢＭＳ規格では、マルチキャストベアラが構築されるトランスポートチャネルは前述のごとく専用のＭＣＨであり、下りリンク専用の一対多通信の伝送容量を確保するために、通信チャネルは固定化され、かつ帯域幅も広く確保されている（例えば２０〜８０ＭＨｚ）。他方、図１２においてコアネットワークノード装置３から各ＵＥ５に張られるのはユニキャストベアラ１２（あるいはＥＰＳベアラ）である。３ＧＰＰのプロトコルに従えば、ユニキャストベアラ上に送信可能なデータパケットは、送信先ＩＰアドレスとして送信先ＵＥのＩＰアドレスが書き込まれているユニキャストパケットのみであり、送信先ＩＰアドレスがグループアドレスとなっているマルチキャストパケットはコアネットワークノード装置３にて破棄され、通常はユニキャストベアラ１２上に流れることがない。
【００４９】
しかし、図１２のマルチキャスト配信システム１においては、コアネットワークノード装置３に組み込まれたマルチキャストプロキシ部３ｃの機能により、マルチキャスト参加リスト登録部３ｂ２に登録されたＩＰアドレスにより送信先のＵＥ５が特定され、コンテンツ配信時刻が到来してマルチキャストデータが上位ネットワーク（マルチキャストルータ８）から送られてくると、それら送信先のＵＥ５との間にユニキャストベアラ１（ＥＰＳベアラ）がマルチキャストデータ配信に特化した形で個別に構築される。マルチキャストプロキシ部３ｃは、受信するストリームデータのパケットのＩＰヘッダの送信先アドレスの内容を確認し、該送信先アドレスがそれらＵＥ５の参加しているマルチキャストグループのＩＰアドレスであった場合に、送信先アドレスを変更することなく、ユニキャストベアラ１２が張られている各ＵＥ５に分配転送する。つまり、ストリームデータがマルチキャストデータパケットのフォーマットのままユニキャストベアラ１２上を流れるようになる。これにより、コアネットワークノード装置３は、従来、マルチキャストパケットのトンネリングに必要であったＴＥＩＤ等の追加や書き換えを行なうことなくマルチキャストデータを配信することが可能となり、処理負荷の軽減が実現する。
【００５０】
具体的には、図１２において、コアネットワークノード装置３は、ＴＳ２００３及びＴＳ２００４にて、マルチキャスト参加リスト登録部３ｂ２を参照し、受信したマルチキャストのＩＰアドレスから、マルチキャストデータを配信すべきＵＥ５のＩＰアドレスをリストアップする。コアネットワークノード装置３は、そのリストアップされたＵＥ５のＩＰアドレスに基づき、ＵＥアドレス・ベアラリスト記憶部３ｄ１の記憶内容を参照して、マルチキャストデータを配信すべきベアラＩＤを特定し、該ベアラＩＤが示すＥＰＳベアラ（及びｅＮｏｄｅＢ４）を介して各ＵＥ５（ＵＥ（Ｉ），ＵＥ（ＩＩ），・・・）にストリームデータ（マルチキャストデータパケット）を分配転送する。
【００５１】
ＵＥ５は、ユニキャストベアラを構築可能な無線インターフェースを備えたものであれば、特にＭＢＭＳに対応したものでなくとも、マルチキャストコンテンツの配信を受けることが可能となる。３ＧＰＰ仕様の無線通信網においては、個々のユニキャストベアラ１２は事前に無線リソースブロックを予約する必要がなく、配信データが存在するときにのみダイナミックに割り当てられ、かつ各ＵＥ５に最適な変調度が選択されてデータ送信がなされる。そして、本発明の方式では、これをマルチキャストデータ配信に利用することでマルチキャストベアラを利用する一般的な方式と比較して無線リソースの有効活用に大きく貢献できる。特にマルチキャストに参加するＵＥ５の台数が少ない場合には、該効果はより顕著となる。
【００５２】
図１３は、ストリーミングが終了したＵＥ５が順次マルチキャストグループから退出し、コンテンツ配信終了に至る処理の流れを示している。ＴＳ２００１〜ＴＳ２００６では、図１２を用いて説明したストリームデータの各ＵＥ５への配信が継続中である。次に、ＴＳ３００１では、ＵＥ（Ｉ）（「11.11.15.105」）においてコンテンツのストリームデータの配信が終了し、ＵＥ（Ｉ）からのマルチキャストグループ退出要求が、グループＩＰアドレス「239.255.0.1」を指定する形でｅＮｏｄｅＢ４を経由してコアネットワークノード装置３に送信される。コアネットワークノード装置３ではこれを受信し、ＴＳ３００２でマルチキャスト参加リスト登録部３ｂ２からＵＥ（Ｉ）のＩＰアドレス（「11.11.15.105」）を削除する。
【００５３】
このとき、グループから退出したＵＥ（Ｉ）に対し、ｅＮｏｄｅＢ４はユニキャストベアラ（ＥＰＳベアラ）構築のセッション終了を通知する。これを受けてＵＥ（Ｉ）は無線接続状態を切断する。ｅＮｏｄｅＢ４は、当該ユニキャストベアラ（ＥＰＳベアラ）構築に割り当てていた無線リソースを解放する。他方、ＵＥ（ＩＩ）「11.11.15.106」へのストリームデータ配信（ＴＳ２００１’、２００２’、２００４’、２００６’）は継続している。
【００５４】
続いて、ＴＳ３００３では、ＵＥ（ＩＩ）（「11.11.15.106」）においてコンテンツのストリームデータの配信が終了し、ＵＥ（ＩＩ）からマルチキャストグループ退出要求が、グループＩＰアドレス「239.255.0.1」を指定する形でｅＮｏｄｅＢ４を経由してコアネットワークノード装置３に送信される。コアネットワークノード装置３ではこれを受信し、ＴＳ３００４でマルチキャスト参加リスト登録部３ｂ２からＵＥ（ＩＩ）のＩＰアドレス（「11.11.15.106」）を削除する。これにより、ＵＥ（ＩＩ）との無線接続も切断され、ＥＰＳベアラ構築に割り当てられていた無線リソースが解放される。これらの処理が、全てのＵＥ５に対するストリーミングが終了するまで繰り返される。
【００５５】
そして、例えばＴＳ３００４にて、マルチキャスト参加リスト登録部３ｂ２のＵＥ５（ＩＰアドレス）の登録が全て削除されるとＴＳ３００５に進み、コアネットワークノード装置３はマルチキャストルータ８に対し、グループＩＰアドレス「239.255.0.1」を指定する形でマルチキャストグループの退出を要求する。マルチキャストルータ８はこれを受け、ＴＳ３００６にてプロキシリスト登録部８ａからコアネットワーク装置３を特定するためのＩＰアドレス（コアネットワークノード装置３に対し最初のマルチキャストグループ参加要求を送信したＵＥ（Ｉ）のＩＰアドレス「11.11.15.105」）を削除し、ストリームデータの配信を停止する。
【００５６】
このように、ＵＥ５とｅＮｏｄｅＢ４との間にマルチキャストデータ配信用に張られるユニキャストベアラ１２（ＥＰＳベアラ）は、ＵＥ５がマルチキャストグループを退出するごとに切断され、その都度占有されていた無線リソースが解放される。よって、マルチキャスト配信の通信状況に応じて無線リソースの使用状況が随時適正化されるので、限られた無線リソースの有効活用に貢献することができる。
【００５７】
以上、本発明の実施の形態について説明したが、あくまで例示であって、本発明はこれに限定されるものではない。例えば、図１において、メディアサーバ６からのマルチキャストのストリームデータの配信先となるコアネットワークノード装置３が１つだけである場合は、マルチキャストルータ８を省略できるので、図１１〜図１３においてコアネットワークノード装置３とマルチキャストルータ８との間のプロキシ登録処理の流れは不要となる。
【符号の説明】
【００５８】
１  マルチキャスト配信システム
３  コアネットワークノード装置
３ａ  制御部（ＭＰＵ）
３ｂ  マルチキャスト参加管理部
３ｂ１  マルチキャスト参加受付部
３ｂ２  マルチキャスト参加リスト登録部
３ｂ３  登録削除制御部
３ｂ４  プロキシ登録要求部
３ｃ  マルチキャストプロキシ部
３ｃ１  マルチキャストデータ受信指令部
３ｃ２  コア側ユニキャストベアラ構築指示送信指令部
３ｃ３  マルチキャストデータ転送指令部
３ｃ４  マルチキャストデータ送信停止指令部
３ｃ５  配信停止要求指令部
３ｆ  コア側送受信部
３ｋ  上位側送受信部
４  ｅＮｏｄｅＢ（無線基地局）
４ａ  制御部（ＭＰＵ）
４ｂ  ユニキャストベアラ構築指示受信指令部
４ｃ  基地局側ユニキャストベアラ構築指示部
４ｄ  マルチキャストデータ送信指令部
４ｆ  基地局側無線送受信部
４ｋ  上位側送受信部
５  ＵＥ（移動端末）
５ａ  制御部（ＭＰＵ）
５ｂ  ユニキャストベアラ構築指令部
５ｃ  マルチキャスト参加要求送信指令部
５ｆ  端末側無線送受信部
６  メディアサーバ
７  Ｅ−ＵＴＲＡＮ
１２  ユニキャストベアラ
【図１】
2020123943.tif 000003
【図２】
2020123943.tif 000004
【図３】
2020123943.tif 000005
【図４】
2020123943.tif 000006
【図５】
2020123943.tif 000007
【図６】
2020123943.tif 000008
【図７】
2020123943.tif 000009
【図８】
2020123943.tif 000010
【図９】
2020123943.tif 000011
【図１０】
2020123943.tif 000012
【図１１】
2020123943.tif 000013
【図１２】
2020123943.tif 000014
【図１３】
2020123943.tif 000015